(57)【要約】【課題】  マイナスイオンが発生しない仕上材とマイナスイオンを発生する仕上材を組合わせ、その被覆面積を調整することにより室内で必要とするマイナスイオン量を容易で、任意に調節することができる室内壁面の仕上方法を提供する。【解決手段】  トルマリン又はトルマリン含有物を配合し、硬化物となった場合にマイナスイオンを発生する流動性配合物と、流動性配合物とは異種の塗材などとを組合せて一定区画を構成する室内壁面の表層の仕上げを行う場合において、その一定区画を構成する室内で必要とされるマイナスイオン量を発生させるに足りる流動性配合物の被覆面積を流動性配合物の硬化物から発生する単位面積当たりのマイナスイオン量から算出し、流動性配合物を被覆する面積と塗材などを被覆する面積を調整し、一定区画を構成する室内に発生するマイナスイオン量を調節することである。【選択図】    なし【特許請求の範囲】
【請求項１】
トルマリン又はトルマリン含有物を配合し、硬化物となった場合にマイナスイオンを発生する流動性配合物（Ａ）と、
前記流動性配合物（Ａ）とは異種の塗材（Ｂ）又は定型物（Ｃ）とを組合せて一定区画を構成する室内壁面の表層の仕上げを行う場合において、
その一定区画を構成する室内で必要とされるマイナスイオン量を発生させるに足りる流動性配合物（Ａ）の被覆面積を流動性配合物（Ａ）の硬化物から発生する単位面積当たりのマイナスイオン量から算出し、
流動性配合物（Ａ）を被覆する面積と塗材（Ｂ）又は定型物（Ｃ）を被覆する面積を調整し、一定区画を構成する室内に発生するマイナスイオン量を調節することを特徴とする室内壁面の仕上方法。
【請求項２】
前記定型物（Ｃ）を壁面とし、前記流動性配合物（Ａ）と型紙を用いて、壁面上に模様付けを行うことを特徴とする請求項１に記載の室内壁面の仕上方法。
【請求項３】
前記トルマリン又はトルマリン含有物を配合し、硬化物となった場合にマイナスイオンを発生する流動性配合物（Ａ）がセメント及び／又は合成樹脂を結合材とした目地材で、定型物（Ｃ）がタイルであり、
一定区画を構成する室内で必要とされるマイナスイオン量を発生させるに足りる目地材の被覆面積と、目地材が硬化した後に発生する単位面積当たりのマイナスイオン量と、から目地材の被覆面積を一定区画の面積より小さい面積で決め、
その目地材の被覆面積から、目地材の幅、タイルの大きさを決め、一定区画の仕上げを行い、仕上られた一定区画から発生するマイナスイオン量を調節することを特徴とする請求項１に記載の室内壁面の仕上方法。
【発明の詳細な説明】
【技術分野】
【０００１】
この発明は、建築物などの室内での仕上方法であり、その仕上の仕方によりマイナスイオンの発生量を調節することができる室内壁面の仕上方法に関するものである。
【背景技術】
【０００２】
マイナスイオンの発生を利用した建材には、塗料などにトルマリンなどを配合し、マイナスイオンを生成させ、その効果を得るものは多くある。
【特許文献１】特開平１０−０４６０６０号公報
【特許文献２】特開平１１−２７９４４５号公報
【０００３】
特開平１０−４６０６０号公報に記載された発明は、汚れが付着し難い、又付着した汚れが自然に流れ落ちる塗料を提供するもので、特開平１１−２７９４４５号公報に記載された発明は、身近にある物の表面を塗装するだけでマイナスイオン生成体に変えられ、身近で簡単にマイナスイオン生成体を作り出すことができ、さらに表面塗装を施すことであらゆる物質をマイナスイオン生成材料に変換することができるものである。
これらの発明は、雨水や空気中の水がトルマリンの発生する微弱電流により、水が電気分解してＨ＋とＯＨ−となり、そのＯＨ−により、前記発明の効果を発揮するものである。
【０００４】
また、建築物の室内の仕上には、その室内の雰囲気やその室内を利用する人の好みなどにより様々な建材を用いられることで仕上られ、意匠性を重視したものとされることが多い。
【発明の開示】
【発明が解決しようとする課題】
【０００５】
ところが、トルマリンを配合した塗料などは、マイナスイオンを発生させ、その効果を有効に用いたものではあるが、そのマイナスイオンの発生量を任意にコントロールするものではなく、塗料を塗布した面からマイナスイオンを発生させるためだけで、マイナスイオンの発生量をコントロールするには、トルマリンなどのマイナスイオン発生物の配合量を変化させる必要がある。
【０００６】
しかしながら、塗料などの仕上材から発生するマイナスイオン量に応じて、配合物の調整を行うことは、実際に行うことは困難である。このように配合量を変更すると、その仕上材の他の物性にも大きく影響を与えることになることがある。又、発生するマイナスイオン量に応じた仕上材を多種類用意することも困難である。
【０００７】
この発明は、上記のような従来技術に存在する問題点に着目してなされたものである。その目的とするところは、マイナスイオンが発生しない仕上材とマイナスイオンを発生することができる仕上材とを組合わせ、それらの被覆面積を調整することにより室内で必要とするマイナスイオン量を容易で且つ任意に調節することができる室内壁面の仕上方法を提供することにある。
【課題を解決するための手段】
【０００８】
上記の目的を達成するために、請求項１に記載の発明の室内壁面の仕上方法は、トルマリン又はトルマリン含有物を配合し、硬化物となった場合にマイナスイオンを発生する流動性配合物（Ａ）と、前記流動性配合物（Ａ）とは異種の塗材（Ｂ）又は定型物（Ｃ）とを組合せて一定区画を構成する室内壁面の表層の仕上げを行う場合において、その一定区画を構成する室内で必要とされるマイナスイオン量を発生させるに足りる流動性配合物（Ａ）の被覆面積を流動性配合物（Ａ）の硬化物から発生する単位面積当たりのマイナスイオン量から算出し、  流動性配合物（Ａ）を被覆する面積と塗材（Ｂ）又は定型物（Ｃ）を被覆する面積を調整し、一定区画を構成する室内に発生するマイナスイオン量を調節することを要旨とする。
【０００９】
請求項２に記載の発明の室内壁面の仕上方法は、請求項１に記載の発明において、前記定型物（Ｃ）を壁面とし、前記流動性配合物（Ａ）と型紙を用いて、壁面上に模様付けを行うことを要旨とする。
【００１０】
請求項３に記載の発明の室内壁面の仕上方法は、請求項１に記載の発明において、前記トルマリン又はトルマリン含有物を配合し、硬化物となった場合にマイナスイオンを発生する流動性配合物（Ａ）がセメント及び／又は合成樹脂を結合材とした目地材で、定型物（Ｃ）がタイルであり、一定区画を構成する室内で必要とされるマイナスイオン量を発生させるに足りる目地材の被覆面積と、目地材が硬化した後に発生する単位面積当たりのマイナスイオン量から、目地材の被覆面積を一定区画の面積より小さい面積で決め、その目地材の被覆面積から、目地材の幅、タイルの大きさを決め、一定区画の仕上げを行い、仕上られた一定区画から発生するマイナスイオン量を調節することを要旨とする。
【発明の効果】
【００１１】
この発明は、以上のように構成されているため、次のような効果を奏する。
請求項１に記載の発明の室内壁面の仕上方法によれば、マイナスイオンが発生しない仕上材とマイナスイオンを発生することができる仕上材とを組合わせ、それらの被覆面積を調整することにより室内で必要とするマイナスイオン量を容易で且つ任意に調節することができる。
【００１２】
請求項２に記載の発明の室内壁面の仕上方法によれば、請求項１に記載の効果に加え、模様付け作業が容易で、模様の被覆面積を容易に把握することがで、室内で必要とするマイナスイオン量を容易で且つ任意に調節することができる。
【００１３】
請求項２に記載の発明の室内壁面の仕上方法によれば、請求項１に記載の効果に加え、タイル仕上の意匠的な要素の他に、そのマイナスイオンの発生量に応じ、目地材の被覆面積の調整することで、目地割りを決めることができる。又、容易にマイナスイオンの発生量のコントロールを行うことができる。
【発明を実施するための最良の形態】
【００１４】
以下、この発明の実施形態を詳細に説明する。
この発明は、トルマリン又はトルマリン含有物を配合し、硬化物となった場合にマイナスイオンを発生する流動性配合物（Ａ）と、前記流動性配合物（Ａ）とは異種の塗材（Ｂ）又は定型物（Ｃ）とを組合せて一定区画を構成する室内壁面の表層の仕上げを行う場合において、その一定区画を構成する室内で必要とされるマイナスイオン量を発生させるに足りる流動性配合物（Ａ）の被覆面積を流動性配合物（Ａ）の硬化物から発生する単位面積当たりのマイナスイオン量から算出し、流動性配合物（Ａ）を被覆する面積と塗材（Ｂ）又は定型物（Ｃ）を被覆する面積を調整し、一定区画を構成する室内に発生するマイナスイオン量を調節するものである。
【００１５】
まず、この発明で用いられるトルマリン又はトルマリン含有物とは、壁面が仕上げられた後に、その仕上面からマイナスイオンを発生させるためのものであり、一般的に知られているもので良い。
このトルマリン又はトルマリン含有物は、圧力、温度変化、電磁波、光などのエネルギーが外圧として、この外圧の作用により、微弱電流が流れ、空気中の水がその微弱電流により、電気分解してＨ＋とＯＨ−となる。そのＯＨ−が塗膜の周囲にある水分子と結合することにより、ヒドロキシルイオン（Ｈ３Ｏ２−）のマイナスイオンを発生する。
【００１６】
電気分解で発生したＨ＋は、トルマリンから電子の供給を受け、水素ガスとして大気に放出される。又、刺激剤として希土類元素を加えることにより、マイナスイオンの発生をより効率的にすることができる。このトルマリンは、４μｍ〜１４μｍの遠赤外線を発生するものである。
トルマリンは、いくつもの組成のものがあるが、基本的には、硼素を含む珪酸塩鉱物であり、三方又は六方の異極反面像族に属し、この異極像は、上下非対称である。
【００１７】
この発明に用いられるトルマリンの粒子径は、０．３μｍ〜５０．０μｍの範囲であるものであるものが好ましい。更に好ましくは、０．３μｍ〜５．０μｍの範囲である。
粒子径が０．３μｍより小さい場合には、塗り付け作業性が低下することがある。又、塗り付け前にスラリー状とする流動性配合物（Ａ）場合では、その使用に際しての混練が行い難く、その構成成分とトルマリンを一様に混ざったもの材を得ることが困難な場合が生じることがある。また、５０．０μｍより大きい場合には、一定重量における表面積が少なくなるため、マイナスイオンの発生の効率が悪くなることがある。また、仕上げられた壁面などの表面にトルマリンの粒子が露出するため、見栄えが良くない場合もあり好ましくないこともある。
【００１８】
このように０．３μｍ〜５．０μｍの範囲の場合では、マイナスイオンの発生の効率が良く、作業性の優れたものとなる。
上記トルマリン又はトルマリン含有物を配合した流動性配合物（Ａ）は、この流動性配合物（Ａ）が硬化物となった場合にマイナスイオンを発生するものであり、塗料，塗材，タイル資材の目地材などの仕上材が挙げられる。
【００１９】
これらの仕上材は、製品の状態では、液状又は粉末状のものであり、仕上作業時には、液状又はスラリー状の流動性配合物として、室内壁面に塗装などで塗り付けを行うものである。
流動性配合物（Ａ）は、セメント，合成樹脂などを結合材として、その形態として、液状，スラリー状又は使用前にスラリー状として用いるものであり、塗り付けた後に硬化，乾燥し、マイナスイオンの発生源となるものである。
【００２０】
この流動性配合物（Ａ）には、吸湿材，光触媒効果が得られる二酸化チタンなどを加えることも可能であり、好ましいものである。
この吸湿材は、流動性配合物（Ａ）が硬化乾燥した後にその仕上面周囲の大気中から、水蒸気などの余剰の水分を吸湿し、大気中が乾燥した場合に、その吸湿した水分を大気にゆっくり放出する調湿作用がものであり、このような吸湿材の作用により、硬化した流動性配合物（Ａ）を含む壁面などの仕上面の周囲の水分量を安定的に高めることができ、安定的に硬化した硬化した流動性配合物（Ａ）に含まれるトルマリン周囲に水分を供給することができ、効率的にマイナスイオンを発生させることができる。
【００２１】
さらに、セメントを含有している流動性配合物（Ａ）の場合では、セメントが硬化した後に急速な水の蒸発を押させることができ、目地材が比較的長い間湿潤状態を維持できることから、硬化した流動性配合物（Ａ）の強度を向上させることができる。
この吸湿材には、有機質の吸水性ポリマーや無機質の多孔質物がある。この吸水性ポリマーは、短時間に吸水する性質のポリマーであり、多孔質化したもの、親水性ポリマーをグラフト重合あるいは混合されたものがあり、吸水性能などの調湿性、目地材の施工性などにより適宜選択されるものである。
【００２２】
この有機質の吸水性ポリマーには、イソブチレン−マレイン酸系ポリマー、変性デンプン、セルロース、アクリロニトリルグラフト化デンプン加水分解物、ポリアクリロニトリル誘導体などを挙げることができる。
また、無機質の多孔質物には、珪藻土、ゼオライト、シリカゲル、アルミナ、石灰、アロフェン、カオリン、ハロイサイト、軽石、白土、シラス、セライト、タルク、石膏、バーミキュライト、ベントナイト、アスベスト、ポゾラン、セメント、セピオライト、アルミナシリケート、シリカアルミネート、カルシウムシリケート、マグネシアシリケート、シリカマグネシアネートや活性炭などの多孔質の物質を挙げることができる。
【００２３】
これら吸湿材の中でもセメントのとの混和性や付着性などの点から無機質の多孔質物を用いることが好ましく、このうち珪藻土が混和性，入手の容易性などの点から好ましく用いられる。
この珪藻土は、珪藻と呼ばれる単細胞藻類の化石から構成されているものであり、主成分は二酸化珪素である。その粒径は、数μｍと小さいものであり、０．５〜１０．０μｍの範囲が好ましい。０．５μｍより小さい場合には、塗料組成物の製造が困難になり、１０μｍより大きい場合には、表面積が少なくなるため、吸水性能などの調湿性の効率が悪くなる。
【００２４】
また、光触媒とは、二酸化チタン等の光半導体をいい、その光触媒の効果は、二酸化チタンに光が照射されると、価電子帯の電子が励起され、正孔と自由電子のペアが生成される。これらの正孔と自由電子は二酸化チタンの外部に存在する酸素や水と反応し、ヒドロキシラジカル（・ＯＨ）とスーパーオキサイドアニオン（・Ｏ2-）ラジカルを生成する。このヒドロキシラジカルが有機物質を酸化させることにより、空気中や水中の有害成分の浄化、脱臭、殺菌等を行うものである。
このような効果を得るために二酸化チタンを流動性配合物（Ａ）に添加することで、形成された壁面などの仕上面に黴や汚れが付き難いものが得られる。
【００２５】
これらの構成材料の他に、炭酸カルシウム，水酸化アルミニウム，アルミナ，シリカ，無機繊維，ロックウールなどの充填材、分散剤，湿潤剤，減水剤，ＡＥ剤などとして用いられる界面活性剤、粘度、粘性調整のための増粘剤、防藻剤，防黴剤等のように成分を配合されていることが多い。又、着色する場合には、着色顔料，白色顔料を添加することもある。
【００２６】
次に、流動性配合物（Ａ）と異種の塗材（Ｂ）とは、上記流動性配合物（Ａ）と比較して、硬化物となった塗膜からマイナスイオンを発生しないものとして、区別されているものであり、塗材中にトルマリン又はトルマリン含有物が配合されていない一般的な塗材のことである。
つまり、流動性配合物（Ａ）と異種の塗材（Ｂ）とは、硬化物となった場合にマイナスイオンの発生の有無により分けられ、異種とものとして区別されているもので、例え、同種類の塗材を用いる場合であっても、この発明の中では、異種のものとして扱われることになる。
【００２７】
定型物（Ｃ）は、主に建築物の表面の仕上げを行うときに用いられるもののことであり、この発明の場合には、室内壁面の仕上に用いることができるもので、且つ、上記異種の塗材（Ｂ）同様で、仕上られたときにマイナスイオンを発生しないもの一般的な定型物である仕上材のことである。
この定型物である仕上材には、タイル，壁紙などのような表層材を挙げることができる。
【００２８】
このタイルは、多くのものは、耐火粘土，木節粘土，長石などを微粉砕し調合した原料を焼成した焼き物である。この焼き物とは別に合成樹脂を主成分とした樹脂タイルや天然石を切断したものもタイルとして用いられる。
焼き物のタイルには、磁器質，半磁器質，せっ器質などの種類があり、内装用，外装用，床用などの適用部位により、その種別がなされているものである。又、樹脂タイルは、主に内装に使われることが多く、天然石タイルは、外装内装の区別無く用いられる。
【００２９】
このタイルの形状には、正方形，長方形，六角形などの多角形のものや楕円，円などの円形のものなどものがあり、長方形，正方形のものが多く使われている。焼き物のタイルでは、その一般的なサイズが、長方形のタイルで横２２７ｍｍ×縦１２７ｍｍの四丁掛のものから横１０８ｍｍ×縦６０ｍｍの小口平ものが多く使われ、正方形の一辺が１５２ｍｍの５０角から一辺が７５ｍｍの２５角のものが多く使われ、一辺が４０ｍｍや４７ｍｍのモザイクタイルなども良く使われている。
【００３０】
また、焼き物以外のタイルであってもこのようなサイズに準じた形状のものを用いることが多い。このタイルの形状，サイズは、一般的のものであって、これ以外のものも使われることが多くある。
このタイルは、建築物の表面にモルタル，接着剤により、そのタイルのサイズ，適用部位などに応じ各種工法を選択し貼り付けられる。この貼り付けに際し、タイル間に隙間を設けられる。この隙間に目地材を充填し、建築物の表面を仕上る。
【００３１】
壁紙は、紙や塩化ビニルなどのシート状物に印刷等で装飾を施したもので、接着剤により貼り付けられるものである。この壁紙は、任意の形状の施工個所に容易に対応することが可能であり、その施工も簡単で、速く行うことができるなど施工性の点，模様の種類が多く、その意匠性の豊富さの点から近年多く用いられるものである。
【００３２】
これらの異種の塗材（Ｂ）又は定型物（Ｃ）は、これらを用いて壁面などを仕上た場合、マイナスイオンを発生しないものであり、上記トルマリン又はトルマリン含有物を配合し、硬化物となった場合にマイナスイオンを発生する流動性配合物（Ａ）と組合わせ、それぞれの部材の占有面積を調整することにより室内で必要とするマイナスイオン量を容易で且つ任意に調節することができるこの発明の効果を実現させることができる。
【００３３】
この発明においては、硬化物となった場合にマイナスイオンを発生する流動性配合物（Ａ）として、タイル資材である目地材とし、マイナスイオンを発生しないものとして、定型物（Ｃ）の一つであるタイルとの組合せがその仕上りに違和感無く、通常のタイル仕上面と遜色ない点からこの好ましく用いられるものである。
【００３４】
このタイルは、上記記載したものであり、タイル資材の一つである目地材は、建築物の表面にモルタル，接着剤により貼り付けられたタイルのタイル間の隙間に充填し、壁面などの仕上に用いられるものであり、の多くは、セメントなどを結合材とし、炭酸カルシウム，珪砂などの充填材を配合し、更に、この発明では、トルマリン又はトルマリン含有物が配合された粉末状のもので、その使用に際して、水などの液体を加え、スラリー状としたものである。又、必要に応じ合成樹脂エマルションを添加し、硬化した目地材の耐久性，付着性を容易に向上させることができる。
【００３５】
また、通常、壁面など仕上面の仕上り感などの意匠性を重視して、決められることが多い、タイルの寸法，目地幅を意匠的な要素の他に、そのマイナスイオンの発生量に応じ、目地材の占有面積の調整することができる。
上記のような材料により、この発明の室内壁面の仕上方法は、構成され、硬化物となった場合にマイナスイオンを発生する流動性配合物（Ａ）とマイナスイオンを発生しない異種の塗材（Ｂ）又は定型物（Ｃ）と共に壁面などに複合して仕上ることで、その仕上面から発生するマイナスイオンの発生量を容易に調整することができるものとなる。
【００３６】
さらに、この発明の室内壁面の仕上方法について、より詳細に説明する。
ａ．まず、流動性配合物（Ａ）が硬化物となり、その硬化物から発生するマイナスイオン量を測定する。このマイナスイオン量は、硬化物表面から発生するマイナスイオン量を単位面積当たりから求める。これは、前もって、施工前に試験体を作り実際に測定して求められる。
【００３７】
ｂ．次に、仕上面からの発生されるマイナスイオン量を決める。このマイナスイオン量は、その仕上面を有する室内の使い方，人員などに応じ必要なマイナスイオン量が決定される。つまり、その室内に多くの人員が常時滞在や通過する場合などは、比較的多くのマイナスイオン発生量が必要な場合が多く、逆に、人員が少ない場合では、比較的少ない量の発生量で良いことになる。
【００３８】
また、人員が少ない場合であっても喫煙，埃などで空気が汚れている場合では、比較的多くのマイナスイオンの発生量が必要となる。
このような各種条件などにより一定区画を構成する室内で必要とされるマイナスイオン量が決定され、その室内の仕上面からのマイナスイオン発生量が決められる。
【００３９】
上記ａ，ｂからトルマリン又はトルマリン含有物を配合し、硬化物となった場合にマイナスイオンを発生する流動性配合物（Ａ）の一定区画を構成する室内での被覆面積が決まる。この被覆面積は、一定区画を構成する室内の面積より少ないものでなければ、流動性配合物（Ａ）と他部材である異種の塗材（Ｂ）又は定型物（Ｃ）とを組合せて一定区画を構成する室内を仕上ることが不可能となる。
そして、室内の仕上面から流動性配合物（Ａ）の被覆面積を差し引いた面積が異種の塗材（Ｂ）又は定型物（Ｃ）が一定区画を構成する室内で占有する面積となる。
【００４０】
例えば、上記ａ，ｂの条件から一定区画を構成する室内の仕上対象面の面積中で、１／３の面積が流動性配合物（Ａ）により仕上げが必要となった。この場合、仕上対象面を上下で１：２の割合で区切り、その下部を流動性配合物（Ａ）で仕上げ、上部を流動性配合物（Ａ）と他部材である異種の塗材（Ｂ）又は定型物（Ｃ）により仕上げることで、室内での必要なマイナスイオンの発生量を確保しながら室内の仕上を行うことができる。
【００４１】
このように仕上方法の具体例としては、流動性配合物（Ａ）に、塗材を用い、他部材には、定型物（Ｃ）である壁紙を用いることで、容易に仕上げを行うことができる。
この場合、仕上対象面を上下に区切ったが、その区切り方には、特に制限は無く、マイナスイオンの発生量が必要な量以上に発生することが可能なように設定するものではあるが、マイナスイオンの効果を十分に受けることができるような部分に適用し、多くの場合では、その室内を利用する人などに近い部分である仕上対象面の下部などであることが好ましい。
【００４２】
さらに、マイナスイオンを発生しない壁面などを定型物（Ｃ）として、その上に流動性配合物（Ａ）を用いて、模様を付けることも可能である。この場合、模様は、絵，幾何学的なものなど任意の形状のものでよいが、その模様が占める面積が室内で必要なマイナスイオンを発生させることが可能な面積であることが必要である。
【００４３】
この模様は、刷毛，ヘラ，ローラーなど通常の塗装に用いられる塗装器具や筆，スポンジなどの絵画用品を用いて、模様を付けることができる。又、型紙などを用いて行うことも可能であり、模様付け作業が容易なものとなる。このように型紙を用いた模様付け作業では、作業前に型紙を用意する必要があり、その型紙の作成時に模様の面積を考慮して型紙を作成することが可能で、又、既製の型紙を用いた場合でもその面積を容易に把握することができる。
【００４４】
また、一つの模様の面積が必要面積より小さい場合では、複数個の模様を付けることで、必要面積を確保することができる。
このような模様付けには、そのように多彩感が必要な場合が多く、その場合には、複数色の流動性配合物（Ａ）を用いることで色彩が豊かな模様とすることができる。
【００４５】
さらに、型紙の厚みが比較的厚いものを用いることで、流動性配合物（Ａ）が硬化した後に形成される硬化物の表面積を多くとることができる。つまり、マイナスイオンを発生しない壁面などの定型物（Ｃ）の上に流動性配合物（Ａ）の硬化物を立体的に形成させることである。
具体的には、一定区画を構成する室内の仕上対象面の面積中で、１／１０の面積に当たる部分からのマイナスイオン発生量が必要である場合、マイナスイオンを発生しない壁紙で仕上られた壁面を定型物（Ｃ）として、流動性配合物（Ａ）を適用し、被覆することで仕上げることができる。
【００４６】
この場合の一例として、壁面に流動性配合物（Ａ）と型紙を用い、模様付けを行うことで、仕上げることができる。この場合、先ず、この模様付けに用いるプラスチック製で、その厚みが１ｍｍの型紙を用意する。この型紙の素材，厚みなどは、特に制限されるものではない。
この一枚の型紙に、型紙の面積より小さい面積で模様付け可能部分を形成する。この模様付け可能部分は、型紙を希望する模様形状に打ち抜き加工などで形成することができ、その面積は、壁面に模様付けされる模様の面積である。つまり、この型紙を一枚用いて、流動性配合物（Ａ）を塗り付けたとき、マイナスイオンが発生する流動性配合物（Ａ）により被覆される面積にあたるものである。
【００４７】
例えば、一枚の型紙を用いて、模様付けが可能となる面積が室内での必要なマイナスイオン発生量を確保するのに必要な面積の被覆面積の１／５となる花柄模様を打ち抜きにより形成する。この場合、形成する模様が５ヵ所必要となる。この型紙が５枚あれば、それらをそれぞれの模様形成個所に固定し、ヘラなどの塗布具で流動性配合物（Ａ）を塗り付け、型紙を剥がして模様を形成する。
【００４８】
この型紙が一枚しかない場合では、模様形成個所に型紙の固定，流動性配合物（Ａ）を塗り付け，型紙を剥がす一連の工程を５回繰り返す。
このような型紙による模様付けにより、仕上対象面に部分的に模様付けを行うことで、必要なマイナスイオンの発生量に調整された室内を得ることが簡単にできる。
一つの型紙の模様付け可能面積と被覆面積の関係が整数倍にならないときは、必要なマイナスイオン発生量に最も近い整数倍の面積にすることもある。又、調整のために模様付け可能面積が異なる型紙を用いることも可能である。
【００４９】
前例では、型紙一枚あたりにより流動性配合物（Ａ）が被覆する面積を基準にして、型紙枚数を計算したが、別の手法による被覆も可能である。
例えば、壁面の面積に対する流動性配合物（Ａ）による被覆面積の割合計算し、
壁面全体に型紙を貼って、流動性配合物（Ａ）塗り付ける方法である。この場合では、型紙のサイズの整数倍が壁面の長さに一致しないことが生じる。この場合であっても、被覆面積／壁面の面積が一定の型紙を用いるので、壁面全体に型紙により塗り付けを行うことにより、必要な被覆面積を確保できることとなる。型紙を貼り詰めて、半端な部分は、型紙を切り捨てて、貼り付ければ良い。
【００５０】
また、上記のように仕上対象面を区切ることや模様を付けることによりマイナスイオンの発生量の調整を行ったが、その各材料の使用割合を適用時に変化させることにより容易にマイナスイオンの発生量を調整することが可能である。
具体的には、上記条件のように一定区画を構成する室内の仕上対象面の面積中で、１／３の面積を流動性配合物（Ａ）を適用し、仕上げる場合に、多頭ガンを用いた多色吹き塗装により仕上ることができる。この多頭ガンは、複数の塗料又は塗材を同時に塗装することができる塗装装置のことであり、この多頭ガンは、仕上面を塗装により天然石調に仕上げる場合によく用いられるものである。
【００５１】
この場合、仕上材料のうち、１／３の量を流動性配合物（Ａ）を用い、残りの２／３の量を異種の塗材（Ｂ）を用いて塗装を行うようにするため、三種類の塗料を同時に吹き付けることができる三頭ガンを使った塗装により仕上対象面の全面を塗装することにより、必要なマイナスイオン発生量に調整された室内を得ることができる。
また、この仕上げに用いられる仕上材の流動性配合物（Ａ）と異種の塗材（Ｂ）とは、同系統のものを用いることが好ましい。この同系統の塗材とは、（Ａ）と（Ｂ）は、吹き付け塗装可能な塗材であり、粘性などの塗料適性が同じものであることが好ましく、これにより流動性配合物（Ａ）と異種の塗材（Ｂ）が規定の通りに吹き付け塗装することができる。
これら流動性配合物（Ａ）と異種の塗材（Ｂ）の色は、その仕上がり具合により選択するものであり、単一の色により仕上ることを希望する場合では、これらを同色のものを用い、多色を希望する場合では、異色のものを用いることになる。
【００５２】
次に、前記記載の中で好ましい形態の一つとして挙げたマイナスイオン発生目地とタイルとによる仕上げについて説明する。
この場合も上記同様で、上記ａ，ｂの条件から一定区画を構成する室内の仕上対象面からマイナスイオン発生目地材が占める面積を求める。例えば、仕上対象面中で、１／３の面積がマイナスイオン発生目地材の占める面積が必要であり、タイルを横１０８ｍｍ×縦６０ｍｍのサイズの小口平を用いた場合では、図１に示したように１個のタイル１１に対しての目地１２のようになり、１個のタイル１１の面積：１個のタイル１１に対しての目地１２の面積が２：１となる。このタイル１１の面積は、６４８０ｍｍ2であるから目地１２の面積は、３２４０ｍｍ2となる。この面積を実現させるためには、目地幅ｘを１７．５ｍｍとする必要がある。
【００５３】
また、１／６の面積がマイナスイオン発生目地材の占める面積が必要である場合では、１個のタイル１１の面積：１個のタイル１１に対しての目地１２の面積が５：１となり、目地１２の面積は、１２９６ｍｍ2となる。この面積を実現させるためには、目地幅ｘを７．４ｍｍとなる。
さらに、仕上対象面中で、１／５の面積がマイナスイオン発生目地材の占める面積が必要であり、タイルサイズを一辺が７５ｍｍの２５角サイズのものを用いた場合では、タイル１個あたりの面積が５６２５ｍｍ2であり、タイル１個に対しての目地の面積は、１４０６．２５ｍｍ2でとなる。この面積を実現させるためには、目地幅は、９．０ｍｍとなる。
【００５４】
次に、前記実施形態から把握できる技術的思想について以下に記載する。
・前記トルマリンの粒子径が０．３μｍ〜５０．０μｍの範囲であるものであることを特徴とする請求項１ないし請求項２のいずれかに記載の室内壁面の仕上方法。
このことにより、流動性配合物の塗り付け作業性，マイナスイオンの発生の効率が良いものである。更に、流動性配合物が塗り付け前にスラリー状とする場合では、その使用に際しての混練が行い易く、その構成成分とトルマリンを一様に混ざったものを容易に得ることできる。
【００５５】
・前記流動性配合物に吸湿材，二酸化チタンのいずれかを加えることを特徴とする請求項１又は請求項２に記載の室内壁面の仕上方法
吸湿材を加えることにより、流動性配合物が硬化乾燥した後にその仕上面周囲の調湿作用を得ることができると同時に、硬化した流動性配合物に含まれるトルマリン周囲に水分を供給することができ、効率的にマイナスイオンを発生させることができる。
【００５６】
また、セメントを含有している流動性配合物の場合では、セメントが硬化した後に急速な水の蒸発を押させることができ、目地材が比較的長い間湿潤状態を維持できることから、硬化した流動性配合物の強度を向上させることができる。
二酸化チタンを加えることにより、形成された壁面などの仕上面に黴や汚れが付き難いものが得られ、又、空気中や水中の有害成分の浄化、脱臭、殺菌等を行うことも可能である。
【図面の簡単な説明】
【００５７】
【図１】１個のタイルに対しての目地の面積を示したもの。
【符号の説明】
【００５８】
１１…タイル。１２…目地。
【図１】
2005226327.tif 000002